(57)【要約】【課題】  磁気ディスク装置及びその付属機器を密閉収納して成るドライブ（別名ディスクエンクロージャ）の緩衝構造を改良して、その耐衝撃性能を飛躍的に向上せしめる。【解決手段】  ドライブ１と変換基板２とを機械的に結合するとともに、電気的に接続してドライブ・基板結合体を形成する。ＰＥＴ薄板を折り曲げた緩衝チップリテーナ３を構成し、この緩衝チップリテーナに多数の緩衝チップ（７ａ，７ｂ，７ｄ）を取り付ける。多数の緩衝チップを取り付けられている緩衝チップリテーナ３で、前記ドライブ・基板結合体を緩やかに包み込み、これらを中枠４の中へ挿し入れ、底蓋５と上蓋６とで密閉する。ただし、中枠４と底蓋５とは必ずしも別体の部材でなくてもよい。要は、緩衝チップを取り付けられている緩衝チップリテーナ３でドライブ・基板結合体を包んでケース内に収納する。【選択図】  図１
0003114975.tif 000002
【実用新案登録請求の範囲】
【請求項１】
磁気ディスク及び磁気ヘッドを備えたほぼ直方体状のドライブを、ほぼ直方体状のポータブルなケースの中に収納して緩衝する構造において、
前記ドライブ（１）の幅方向寸法とほぼ等しい幅寸法を有し、該ドライブの長さ寸法よりも大きい長さ寸法をを有する変換基板（２）を設け、
ドライブ（１）と変換基板（２）とを平行に位置せしめて電気的に接続するとともに機械的に結合してドライブ・基板結合体が形成されており、
かつ、上記ドライブ・基板結合体を緩やかに包囲する緩衝チップリテーナ（３）が、フレキシブルな合成樹脂薄板で構成され、
上記合成樹脂薄板で包囲されたドライブ・基板結合体が、中枠（４）と底蓋（５）と上蓋（６）とから成るケース内に収納されており、
さらに、前記ほぼ直方体状のドライブと、ほぼ直方体状のケースとの間の間隙の１部分を埋める緩衝チップが多数配設されるとともに、それぞれの緩衝チップが前記緩衝チップリテーナ（３）に接着ないし粘着されていることを特徴とする、ドライブの緩衝構造。
【請求項２】
磁気ディスク及び磁気ヘッドを備えたほぼ直方体状のドライブを、ほぼ直方体状のポータブルなケースの中に収納して緩衝する構造において、
前記ドライブ（１）の幅方向寸法とほぼ等しい幅寸法を有し、該ドライブの長さ寸法よりも大きい長さ寸法をを有する変換基板（２）を設け、
ドライブ（１）と変換基板（２）とを平行に位置せしめて電気的に接続するとともに機械的に結合してドライブ・基板結合体が形成されており、
かつ、上記ドライブ・基板結合体を緩やかに包囲する緩衝チップリテーナ（３）が、フレキシブルな合成樹脂薄板で構成されていて、
該緩衝チップリテーナは、ドライブ（１）の頂面に当接する１枚の頂面（３ａ）と、
上記頂面の側縁を折り下げて成り、ドライブの側面に対向離間する側面（３ｃ）と、
上記頂面の端縁を折り下げて成り、ドライブの側面に対向離間する端片（３ｄ）と、
前記側面の下縁を更に内側へ折り返して成り、ドライブの底面に当接する底片（３ｂ）とが一体に連設するように折り曲げ加工された部材であり、
上記合成樹脂薄板で包囲されたドライブ・基板結合体が、中枠（４）と底蓋（５）と上蓋（６）とから成るケース内に収納されており、
さらに、前記ほぼ直方体状のドライブと、ほぼ直方体状のケースとの間の間隙の１部分を埋める緩衝チップが多数配設されていて、
ドライブ（１）の頂面と前記ケースの上蓋（６）との間に位置する頂面チップ（７ａ）は、該緩衝チップリテーナの上面（３ａ）に接着ないし粘着されており、
ドライブの側面と前記ケースの中枠（４）との間に位置する側面チップ（７ｂ）は緩衝チップリテーナの側面３ｃの内側面に接着ないし粘着されており、
ドライブの端面と前記ケースの中枠（４）との間に位置する端面チップ（７ｄ）は緩衝チップリテーナの端片（３ｄ）の内側面に接着ないし粘着されており、
ドライブの底面と前記ケースの底蓋（５）との間に位置する底面チップ（７ｃ）は緩衝チップリテーナの底片（３ｂ）下側面に接着ないし粘着されていることを特徴とする、ドライブの緩衝構造。
【考案の詳細な説明】
【技術分野】
【０００１】
本考案は、磁気ディスク装置に係り、特に、磁気ディスク装置及びその付属機器を密閉収納して成るドライブ（別命ディスクエンクロージャ）の緩衝構造を改良して耐衝撃性能を向上せしめたものである。
【背景技術】
【０００２】
ドライブは、磁気ディスク，該磁気ディスクを回転駆動する機構，該磁気ディスクに記録されている情報を読みだしたり書き込んだりする磁気ヘッド，及び磁気ヘッドの位置決め機構などを密閉状態に収納している。
このドライブそれ自体は耐振性や耐衝撃性が低く、むしろ繊細な機構であるから、その防振構造が種々研究されている。
その一つに特開平７−２９６５７３号公報「磁気ディスク装置」が有る。
この発明考案は、筺体の中に、防振部材やフレーム部材を介してディスクエンクロージャ（ドライブ）を収納した構造であるが、その耐衝撃性能は未だ完全ではない。例えば机上の高さから木製の床面に自由落下させるといった苛酷なテストには耐え得ない。
その他各種の提案も為されているが、耐震性が不十分であるとか、組み立て作業性が良くないとか、それぞれ不具合が有る。
【特許文献１】特開平７−２９６５７３号公報
【特許文献２】特開２００３−２７２３６号公報
【特許文献３】特開２００４−２４７０４６号公報
【特許文献４】特開平７−２１１０５４号公報
【考案の開示】
【考案が解決しようとする課題】
【０００３】
本考案は上記の事情に鑑みて為され、従来技術では不可能とされていた「机上の高さから木製床面に自由落下させるテスト」に耐え得る耐衝撃性能を有するドライブ用の緩衝構造を提供しようとするものである。
【課題を解決するための手段】
【０００４】
請求項１に係る考案の構成は、磁気ディスク及び磁気ヘッドを備えたほぼ直方体状のドライブを、ほぼ直方体状のポータブルなケースの中に収納して緩衝する構造において、
前記ドライブ（１）の幅方向寸法とほぼ等しい幅寸法を有し、該ドライブの長さ寸法よりも大きい長さ寸法をを有する変換基板（２）を設け、
ドライブ（１）と変換基板（２）とを平行に位置せしめて電気的に接続するとともに機械的に結合してドライブ・基板結合体が形成されており、
かつ、上記ドライブ・基板結合体を緩やかに包囲する緩衝チップリテーナ（３）が、フレキシブルな合成樹脂薄板で構成され、
上記合成樹脂薄板で包囲されたドライブ・基板結合体が、中枠（４）と底蓋（５）と上蓋（６）とから成るケース内に収納されており、
さらに、前記ほぼ直方体状のドライブと、ほぼ直方体状のケースとの間の間隙の１部分を埋める緩衝チップが多数配設されるとともに、それぞれの緩衝チップが前記緩衝チップリテーナ（３）に接着ないし粘着されていることを特徴とする。
【０００５】
請求項２に係る考案の構成は、前記請求項１の考案の構成要件の加えて、緩衝チップの配設位置を合理的に特定することによって組み立て作業性を一層良くした。
本請求項２を前記請求項１に比較したときの特徴的な差異は、次の通りである。すなわち、
ドライブ（１）の頂面と前記ケースの上蓋（６）との間に位置する頂面チップ（７ａ）は、該緩衝チップリテーナの上面（３ａ）に接着ないし粘着されており、
ドライブの側面と前記ケースの中枠（４）との間に位置する側面チップ（７ｂ）は緩衝チップリテーナの側面３ｃの内側面に接着ないし粘着されており、
ドライブの端面と前記ケースの中枠（４）との間に位置する端面チップ（７ｄ）は緩衝チップリテーナの端片（３ｄ）の内側面に接着ないし粘着されており、
ドライブの底面と前記ケースの底蓋（５）との間に位置する底面チップ（７ｃ）は緩衝チップリテーナの底片（３ｂ）下側面に接着ないし粘着されている。
【考案の効果】
【０００６】
以上に説明した請求項１の考案を適用すると、全体的な構成が比較的コンパクトで、しかも優れた耐震性（耐衝撃性）が得られる。すなわち、ほぼ直方体状のケース内に、ほぼ直方体状のドライブが収納されるとともに、
対向離間しているドライブ頂面とケース頂面との間、
対向離間しているドライブ側面とケース側面との間、    
対向離間しているドライブ端面とケース端片との間、および、
対向離間しているドライブ底面とケース底片との間のそれぞれに、緩衝チップ（例えばゴムのピース）が介装されているので、優れた耐震性が得られる。
その上、多数の緩衝チップが緩衝チップリテーナに取り付けられているので、該緩衝チップリテーナでドライブを緩やかに包み込むと各緩衝チップが所定の箇所に位置決めされる。このため、格別の熟練や多大の労力を要しないで迅速に正確な組み付け作業が遂行される。  
【０００７】
請求項２の考案を適用すると、緩衝チップを取り付けられた緩衝チップリテーナでドライブを包み、これをケースの中へ挿入する操作が容易である。
すなわち、ドライブの周辺に位置する緩衝チップが、リテーナの中に包み込まれているので、該緩衝チップがケースの縁に引っ掛かる虞れがない。実施形態について後に詳述するごとく、本請求項２における緩衝チップリテーナは、緩衝チップを位置決め支持する役目だけでなく、該緩衝チップをケース中へ挿入する際のガイドの役目を兼ねる。    
【考案を実施するための最良の形態】
【０００８】
次に、添付図面を参照しつつ本考案の１実施形態について述べる。
先ず図１を参照して全体的構成の概要を説明し、次いで図２を参照して全体的構成の概要を補足説明する。
図１は、概要的な分解斜視図である。
ドライブ１と変換基板２とによってドライブ・基板結合体が形成され、この結合体が電気的な機能を果たす。
中枠４と、底蓋５と、上蓋６とによってケースが形成される。このケースは外部障害物からドライブ・基板結合体を保護し、併せて塵埃、汚れ等を防いでいる。
【０００９】
鎖線で示した緩衝チップリテーナ３はポリエチレン テレフタレート製のシート状部材（薄板と同意）であって、その主たる役目は多数の緩衝チップ（７ａ，７ｂ，７ｄ）を支持して位置決めすることである。
上記緩衝チップリテーナ３については、図３を参照して後に詳しく説明する。
本図１には、９個の緩衝チップが描かれているが、本実施形態における緩衝チップの総数は１７個である。これについては、図４を参照して後に詳しく説明する。
本願の添付図面においては、読図の便宜を図って緩衝チップに斑点を付してある。これは緩衝チップであることを一見して明白ならしめる為のものであって、断面を表示しているものではない。
本図１においては、緩衝チップリテーナ３がドライブ１及び変換基板２を緩やかに包み込んでいることを理解し、装置全体の中での概要的な位置関係を記憶されたい。
【００１０】
前記変換基板２には、ドライブ１の他に電源端子８、信号線端子９、及び実装部品１１ａ，同１１ｂが実装されている。符号１０を付して示したのは、ドライブ１と変換基板２とを電気的に接続している端子である。なお、ドライブ１と変換基板２との機械的結合は取付ネジによって為されている。
前記緩衝チップ（７ａ，７ｂ，７ｄ）は、本実施形態では直方体状のゴム片であって、宮坂ゴム製のミヤフリーク（商標名）を用いた。
本考案を実施する際、必ずしも本例の材質，形状に限定されるものではない。例えば円柱形であっても良く、底面と頂面とが平行であることが望ましい。
材質については、振動吸収能力に優れ、許容温度範囲が広く、加工性の良いものが望ましい。
【００１１】
説明の便宜上、図１に付記したように直行座標Ｘ，Ｙ，Ｚを設定し、Ｘ軸を長さ方向、Ｙ軸を幅方向、Ｚ軸を厚さ方向と呼ぶ。
さらに、図に付記したようにＸ−Ｙ面を頂面（または底面）と呼び、Ｙ−Ｚ面を側面と呼び、Ｙ−Ｚ面を端面と呼ぶことにする。なお、紛らわしくない場合は、Ｚ軸方向について上下を呼称する。
【００１２】
図２は、前掲の図１に示した実施形態を模式的に描いた３面図である。
本図２においては、図１に描かれていたケースの図示を簡略化し、ケースを細い２点鎖線で描いてある（緩衝チップリテーナ３は太い１点鎖線で描いてある）。
また、図１において隠れていた底面チップ７ｃが現れている。本図２に描かれている部材中、前記底面チップ７ｃ以外は総べて前掲の図１に描かれていた部材である。
なお、頂面緩衝チップ７ａを頂面チップ７ａと略称し、側面緩衝チップ７ｂを側面チップ７ｂと略称し、端面緩衝チップ７ｄを端面チップ７ｄと略称してある。
【００１３】
図３は、前記緩衝チップリテーナ３を抽出して描いた拡大斜視図である。座標Ｘ，Ｙ，Ｚ、及び頂面、側面、端面、底面の呼称、並びに上下の呼称については、図１を参照して先に述べたごとくである。
符号３ａを付して示したのは、ドライブ１（図外）の頂面の大部分を覆う緩衝チップリテーナ頂面である。
該頂面３ａのＹ方向の縁を折り下げた形に側面３ｃが形成され、更に内側に向けて折り返した形に底片３ｂが形成されている。
（注）頂面３ａ、側面３ｃが、他の面と２辺以上で連結しているのに比して、符号３ｂの構成部分は他の面に対して１辺だけで片持ち形に連結しているだけなので、これを底片と名付けた。次に出てくる端片３ｄも同様である。
【００１４】
（図３と図２（Ｂ）とを併せて参照）図２（Ｂ）に太い１点鎖線で描かれている緩衝チップリテーナ３の頂面３ａがドライブ１に接しているのに比して、該緩衝チップリテーナ３の側面３ｃはドライブ１に対向離間している。
同様に、図２（Ｃ）に表されているように、緩衝チップリテーナ３の端片３ｄもドライブ１に接していない。
つまり（図２（Ｂ）参照）、頂面チップ７ａおよび底面チップ７ｃは、緩衝チップリテーナ３とケースとの間に位置しており、
側面チップ７ｂは、緩衝チップリテーナ３とドライブ１との間に位置しており、
（図２（Ｃ）参照）端面チップ７ｄは、緩衝チップリテーナ３とドライブ１との間に位置している。
このように構成する手段については図４を参照して、このように構成する理由については図５を参照して、それぞれ後に説明する。  
【００１５】
図３に示した緩衝チップリテーナ３に、前記４種類の緩衝チップ（頂面チップ７ａ、側面チップ７ｂ、底面チップ７ｃ、端面チップ７ｄ）を取り付け、この緩衝チップリテーナ３でドライブ１を包むのであるが、４種類の緩衝チップの全部を１度に取り付けると、構造が分かりにくいので、順次に分説する。
図４（Ａ）に示した緩衝チップリテーナ３は、図３を縮小したものである。
緩衝チップリテーナ３の底片３ｂの下面に、底面チップ７ｃを接着し、または両面粘着テープで貼着する。
【００１６】
緩衝チップリテーナ３の端片３ｄの内側面に、端面チップ７ｄを接着し、または両面粘着テープで貼着する。
次に、図４（Ｂ）に示したように側面チップ７ｂと端面チップ７ｄとを緩衝チップリテーナ３に取り付ける。
この図４（Ｂ）において、符号のみを付して部材名称を記載していない構成部分は、前掲の図４（Ａ）で説明済みの構成部分である。
緩衝チップリテーナ３の側面３ｃの内側に側面チップ７ｂを接着し、または両面粘着テープで貼着する。
【００１７】
図４（Ｃ）は、４種類の緩衝チップを総べて取り付けた状態を示している。符号のみを記載して名称を記載していないものは、図４（Ａ）と同（Ｂ）とで説明済みの構成部分である。
本図（Ｃ）のように、緩衝チップリテーナ３の頂面３ａの４隅付近に頂面チップ７ａを接着し、または両面粘着テープで貼着する。
上記図４（Ａ）、（Ｂ）、（Ｃ）の工程は、構造の理解の便宜状の説明であって、本考案の構成を限定するものではない。
【００１８】
本実施形態において、４種類の緩衝チップそれぞれの形状寸法は相互に異なっている。
更に、５個の端面チップ７ｄのうち、「ドライブ１の片方の端面に対向する３個」と、「ドライブ１の他方の端面に対向する２個」とは異なる形状寸法とした。
それでも、４個の頂面チップ７ａは相互に同じ部品であり、４個の側面チップ７ｂは相互に同じ部品であり、４個の底面チップ７ｃは相互に同じ部品である。５個の端面チップ７ｄは２種類の部品で足りる
しかも、それぞれの緩衝チップは究めて単純な形状であるから、製造コストが低廉である。
【００１９】
以上に説明した本実施形態の耐衝撃テストを、次のように実施した。 
落下高さ：７０センチメートル
落 下 面：厚さ２センチメートルの鉄板上に厚さ１センチメートルのベニア合板を配置
落下方法：各種の姿勢で自由落下
落下回数：１００回
上記落下テストの後、磁気記録の読み書き性能を試行したところ、なんらの不具合を認めなかった。
【００２０】
図５（Ａ）は本考案の比較例を描いた模式図であり、同図（Ｂ）は本考案の実施形態を描いた模式図である。
いま仮に、図５（Ａ）（比較例）のように、緩衝チップリテーナ３の外側面に側面チップ７ｂが取り付けられている場合について考えると、
中枠４を作業台１２の上に置き、緩衝チップリテーナ３で包まれたドライブ・変換基板結合体（１，２）を矢印Ｄのように挿入しようとすると、側面チップ７ｂが引っ掛かって非常に入りにくい。
この図では側面チップ７ｂだけを考えているが、図に現れていない端面チップ７ｄも同様に引っ掛かかるので極めて困難である。
【００２１】
そこで本考案の実施形態（図５（Ｂ））のように、側面チップ７ｂが緩衝チップリテーナ３の中に（詳しくは、緩衝チップリテーナの側面３ｃ（図３参照）の内側に）入っていると、該緩衝チップリテーナが挿入ガイドとして働き、容易、かつ迅速に送入（矢印Ｄ）することができる。
このような知見は机上で考えていただけでは得られるものではない。本考案者が試作し、試行錯誤して初めて到達することを得た。
【００２２】
図５（Ａ）および図５（Ｂ）に示した組み立て作業の際、中枠４に底蓋５が取り付けられていても同様である。
このことから容易に推察でいるように、（図１参照）中枠４と底蓋５とが一体的に連設されていても、作用効果に違いは無い。
本考案において、「中枠（４）と、底蓋（５）と、上蓋（６）とから成るケース」とは「中枠（４）に相当する構成部分と、底蓋（５）に相当する構成部分と、上蓋（６）に相当する構成部分とから成るケース」の意であって、それぞれの構成部分がどのように分割されていても本考案の技術的範囲に属する。
【図面の簡単な説明】
【００２３】
【図１】本考案の１実施形態において、ケースの１部を破断して模式的に描いた分解斜視図
【図２】前掲の図１に示した実施形態において、緩衝チップに斑点を付して描いた３面図
【図３】前掲の図１および図２に示した実施形態における緩衝チップリテーナを抽出して描いた外観斜視図
【図４】前掲の図３に示した緩衝チップリテーナに緩衝チップを取り付ける作業の工程図
【図５】前掲の図３に示した実施形態における組み立て作業の問題点を説明するために示したもので、（Ａ）は比較例の模式的な断面図、（Ｂ）は本実施形態における模式的な断面図
【符号の説明】
【００２４】
１…ドライブ
１ａ…ドライブの頂面
１ｂ…ドライブの底面
１ｃ…ドライブの側面
１ｄ…ドライブの端面
２…変換基板
３…緩衝チップリテーナ
３ａ…緩衝チップリテーナの頂面 
３ｂ…緩衝チップリテーナの底片 
３ｃ…緩衝チップリテーナの側面 
３ｄ…緩衝チップリテーナの端片 
４…ケースの中枠 
５…ケースの底蓋 
６…ケースの上蓋 
７ａ…頂面緩衝チップ 
７ｂ…側面緩衝チップ 
７ｃ…底面緩衝チップ 
７ｄ…端面緩衝チップ 
８…電源端子 
９…信号線端 
１０…ドライブ・基板端子 
１１ａ…実装部品 
１１ｂ…実装部品 
１２…作業台 
Ｄ…挿入方向を表す矢印
【図１】
0003114975.tif 000003
【図２】
0003114975.tif 000004
【図３】
0003114975.tif 000005
【図４】
0003114975.tif 000006
【図５】
0003114975.tif 000007